(57)【要約】【課題】水で満たされた開口部の干渉物の周りに硬化材を密実に充填することができ、硬化材の流出を阻止することのできる開口部閉塞方法、開口部閉塞構造および閉塞部材を提供する。【解決手段】干渉物８が設けられ、水で満たされた開口部５に水中不分離性の硬化材を充填することで開口部５を閉塞する方法であって、硬化材を開口部５に注入するための注入管１２の先端部１４に、伸縮性を有する袋状の透水性の内側ネット部材１８の袋口１６を取り付けるとともに、この内側ネット部材１８の外側を被覆するように、内側ネット部材１８のはらみ出しを拘束するための袋状の透水性の外側ネット部材２０を取り付けた後、注入管１２の先端部１４を開口部５に配置し、注入管１２から内側ネット部材１８の内部に向けて硬化材を吐出し、内側ネット部材１８を伸張させて開口部５を閉塞するようにする。【選択図】図３−１
2016011703.tif 000002
【特許請求の範囲】
【請求項１】
干渉物が設けられ、水で満たされた開口部に水中不分離性の硬化材を充填することで前記開口部を閉塞する方法であって、
前記硬化材を前記開口部に注入するための注入管の先端部に、伸縮性を有する袋状の透水性の内側ネット部材の袋口を取り付けるとともに、この内側ネット部材の外側を被覆するように、内側ネット部材のはらみ出しを拘束するための袋状の透水性の外側ネット部材を取り付けた後、前記注入管の先端部を前記開口部に配置し、前記注入管から内側ネット部材の内部に向けて前記硬化材を吐出し、内側ネット部材を伸張させて前記開口部を閉塞することを特徴とする開口部閉塞方法。
【請求項２】
前記開口部は、水で満たされた内部に干渉物が設けられ、所定の傾斜勾配を有する管路であることを特徴とする請求項１に記載の開口部閉塞方法。
【請求項３】
干渉物が設けられ、水で満たされた開口部に水中不分離性の硬化材を充填することで前記開口部を閉塞した構造であって、
前記硬化材を前記開口部に注入するための注入管と、
前記注入管の先端部に袋口が取り付けられ、伸縮性を有する袋状の透水性の内側ネット部材と、
この内側ネット部材の外側を被覆するように取り付けられ、内側ネット部材のはらみ出しを拘束するための袋状の透水性の外側ネット部材とを有し、
前記開口部に配置した前記注入管の先端部から内側ネット部材の内部に向けて前記硬化材を吐出することで内側ネット部材を伸張させて前記開口部を閉塞したことを特徴とする開口部閉塞構造。
【請求項４】
前記開口部は、水で満たされた内部に干渉物が設けられ、所定の傾斜勾配を有する管路であることを特徴とする請求項３に記載の開口部閉塞構造。
【請求項５】
干渉物が設けられ、水で満たされた開口部に水中不分離性の硬化材を充填することで前記開口部を閉塞するための閉塞部材であって、
前記硬化材を前記開口部に注入するための注入管の先端部に袋口が取り付けられ、伸縮性を有する袋状の透水性の内側ネット部材と、
この内側ネット部材の外側を被覆するように取り付けられ、内側ネット部材のはらみ出しを拘束するための袋状の透水性の外側ネット部材とを有することを特徴とする閉塞部材。
【請求項６】
前記開口部は、水で満たされた内部に干渉物が設けられ、所定の傾斜勾配を有する管路であることを特徴とする請求項５に記載の閉塞部材。
【発明の詳細な説明】
【技術分野】
【０００１】
本発明は、水で満たされた配管などの開口部に水中不分離性モルタルなどの硬化材を充填することでこの開口部を閉塞する方法、および、開口部を閉塞する構造、ならびに、この方法または構造に用いられる閉塞部材に関し、特に、原子力発電所などの原子力施設の解体工事の準備工事として、水で満たされたベント管などの配管を閉塞するのに好適な開口部閉塞方法、開口部閉塞構造および閉塞部材に関するものである。
【背景技術】
【０００２】
図７は、解体工事を控えた原子力発電所建屋の状況を例示した模式図である。この図の例では、原子炉建屋１に原子炉圧力容器（ＰＲＶ）、原子炉格納容器（ＰＣＶ）、トーラス室２が設けられており、ＲＰＶとＰＣＶのバウンダリ機能は喪失した状態にある。ＲＰＶとＰＣＶの下部には燃料デブリ４が溜まっている。また、ＰＣＶの下部と、圧力抑制室３には破損部分があり、圧力抑制室３を収容するトーラス室２には放射能汚染水が溜まっている。
【０００３】
ＲＰＶとＰＣＶのバウンダリ機能が喪失した状態で燃料デブリ４を取り出すためには、ＰＣＶの下部の漏えい箇所を補修してバウンダリを再構築し、ＰＣＶ内をＰＲＶとともに水で満たして冠水した状態にする必要がある。ＰＣＶ下部の補修方法の一案としては、例えば図８および図９に示すように、ＰＣＶ内に連通する圧力抑制室３のベント管５の端部に水中不分離性モルタル６を充填することで、ベント管５を閉塞する方法が考えられる。
【０００４】
ベント管５は、所定の管路勾配（例えば水平とのなす角が２０°）を有する直径数メートル（例えば１．７５ｍ）の配管である。ベント管５の下端部にはベントヘッダーと呼ばれる水平方向に延びる配管７が接続している。ベント管５を閉止すると、ＰＣＶ内の滞留水による水圧（例えば約６０ｋＰａ）がベント管５の閉止部にかかることが予想される。また、燃料デブリ取り出しのために冠水させたときは大きな水圧（例えば約３００ｋＰａ）がかかることが予想される。
【発明の概要】
【発明が解決しようとする課題】
【０００５】
上述したように、ベント管５の端部にはベントヘッダー７が取り付いており、水で満たされたベント管５の内部にそのまま水中不分離性モルタル６を充填するとこのモルタルがベントヘッダー７に流出して水密性が損なわれるおそれがあるため、水中不分離性モルタル６がベントヘッダー７に流出しないようにするための対策が必要である。
【０００６】
一方、ベント管５内には、図９に示すように、アングルや支持脚などの干渉物８が設置されており、これらの干渉物８を回避してベントヘッダー７への水中不分離性モルタル６の流出を阻止しなければならないとともに、これらの干渉物８周りに水中不分離性モルタル６を密実に充填する必要がある。
【０００７】
このため、水中不分離性モルタルなどの硬化材を水で満たされたベント管などの開口部に充填してここを閉塞する場合において、開口部に設けられた干渉物の周りにも硬化材を密実に充填することができ、しかも、開口部の下流側への硬化材の流出を阻止することのできる技術が求められていた。
【０００８】
本発明は、上記に鑑みてなされたものであって、水で満たされた開口部の干渉物の周りに硬化材を密実に充填することができ、硬化材の流出を阻止することのできる開口部閉塞方法、開口部閉塞構造および閉塞部材を提供することを目的とする。
【課題を解決するための手段】
【０００９】
上記した課題を解決し、目的を達成するために、本発明に係る開口部閉塞方法は、干渉物が設けられ、水で満たされた開口部に水中不分離性の硬化材を充填することで前記開口部を閉塞する方法であって、前記硬化材を前記開口部に注入するための注入管の先端部に、伸縮性を有する袋状の透水性の内側ネット部材の袋口を取り付けるとともに、この内側ネット部材の外側を被覆するように、内側ネット部材のはらみ出しを拘束するための袋状の透水性の外側ネット部材を取り付けた後、前記注入管の先端部を前記開口部に配置し、前記注入管から内側ネット部材の内部に向けて前記硬化材を吐出し、内側ネット部材を伸張させて前記開口部を閉塞することを特徴とする。
【００１０】
また、本発明に係る他の開口部閉塞方法は、上述した発明において、前記開口部は、水で満たされた内部に干渉物が設けられ、所定の傾斜勾配を有する管路であることを特徴とする。
【００１１】
また、本発明に係る開口部閉塞構造は、干渉物が設けられ、水で満たされた開口部に水中不分離性の硬化材を充填することで前記開口部を閉塞した構造であって、前記硬化材を前記開口部に注入するための注入管と、前記注入管の先端部に袋口が取り付けられ、伸縮性を有する袋状の透水性の内側ネット部材と、この内側ネット部材の外側を被覆するように取り付けられ、内側ネット部材のはらみ出しを拘束するための袋状の透水性の外側ネット部材とを有し、前記開口部に配置した前記注入管の先端部から内側ネット部材の内部に向けて前記硬化材を吐出することで内側ネット部材を伸張させて前記開口部を閉塞したことを特徴とする。
【００１２】
また、本発明に係る他の開口部閉塞構造は、上述した発明において、前記開口部は、水で満たされた内部に干渉物が設けられ、所定の傾斜勾配を有する管路であることを特徴とする。
【００１３】
また、本発明に係る閉塞部材は、干渉物が設けられ、水で満たされた開口部に水中不分離性の硬化材を充填することで前記開口部を閉塞するための閉塞部材であって、前記硬化材を前記開口部に注入するための注入管の先端部に袋口が取り付けられ、伸縮性を有する袋状の透水性の内側ネット部材と、この内側ネット部材の外側を被覆するように取り付けられ、内側ネット部材のはらみ出しを拘束するための袋状の透水性の外側ネット部材とを有することを特徴とする。
【００１４】
また、本発明に係る他の閉塞部材は、上述した発明において、前記開口部は、水で満たされた内部に干渉物が設けられ、所定の傾斜勾配を有する管路であることを特徴とする。
【発明の効果】
【００１５】
本発明に係る開口部閉塞方法によれば、干渉物が設けられ、水で満たされた開口部に水中不分離性の硬化材を充填することで前記開口部を閉塞する方法であって、前記硬化材を前記開口部に注入するための注入管の先端部に、伸縮性を有する袋状の透水性の内側ネット部材の袋口を取り付けるとともに、この内側ネット部材の外側を被覆するように、内側ネット部材のはらみ出しを拘束するための袋状の透水性の外側ネット部材を取り付けた後、前記注入管の先端部を前記開口部に配置し、前記注入管から内側ネット部材の内部に向けて前記硬化材を吐出し、内側ネット部材を伸張させて前記開口部を閉塞するので、硬化材が入り込む伸縮性の内側ネット部材が干渉物の周りの形状に合わせて変形しながら伸張することで、水で満たされた開口部の干渉物の周りに硬化材を密実に充填することができる。また、内側ネット部材の伸張変形に連動して、これを被覆する外側ネット部材も変形し、硬化材が入り込む内側ネット部材の開口部外へのはらみ出しを抑制するので、開口部外への硬化材の流出を阻止することができるという効果を奏する。
【００１６】
また、本発明に係る他の開口部閉塞方法によれば、前記開口部は、水で満たされた内部に干渉物が設けられ、所定の傾斜勾配を有する管路であるので、水で満たされた管路の干渉物の周りに硬化材を密実に充填することができ、管路の下流側への硬化材の流出を阻止することができるという効果を奏する。
【００１７】
また、本発明に係る開口部閉塞構造によれば、干渉物が設けられ、水で満たされた開口部に水中不分離性の硬化材を充填することで前記開口部を閉塞した構造であって、前記硬化材を前記開口部に注入するための注入管と、前記注入管の先端部に袋口が取り付けられ、伸縮性を有する袋状の透水性の内側ネット部材と、この内側ネット部材の外側を被覆するように取り付けられ、内側ネット部材のはらみ出しを拘束するための袋状の透水性の外側ネット部材とを有し、前記開口部に配置した前記注入管の先端部から内側ネット部材の内部に向けて前記硬化材を吐出することで内側ネット部材を伸張させて前記開口部を閉塞したので、硬化材が入り込む伸縮性の内側ネット部材が干渉物の周りの形状に合わせて変形しながら伸張することで、水で満たされた開口部の干渉物の周りに硬化材を密実に充填することができる。また、内側ネット部材の伸張変形に連動して、これを被覆する外側ネット部材も変形し、硬化材が入り込む内側ネット部材の開口部外へのはらみ出しを抑制するので、開口部外への硬化材の流出を阻止することができるという効果を奏する。
【００１８】
また、本発明に係る他の開口部閉塞構造によれば、前記開口部は、水で満たされた内部に干渉物が設けられ、所定の傾斜勾配を有する管路であるので、水で満たされた管路の干渉物の周りに硬化材を密実に充填することができ、管路の下流側への硬化材の流出を阻止することができるという効果を奏する。
【００１９】
また、本発明に係る閉塞部材によれば、干渉物が設けられ、水で満たされた開口部に水中不分離性の硬化材を充填することで前記開口部を閉塞するための閉塞部材であって、前記硬化材を前記開口部に注入するための注入管の先端部に袋口が取り付けられ、伸縮性を有する袋状の透水性の内側ネット部材と、この内側ネット部材の外側を被覆するように取り付けられ、内側ネット部材のはらみ出しを拘束するための袋状の透水性の外側ネット部材とを有するので、硬化材が入り込む伸縮性の内側ネット部材が干渉物の周りの形状に合わせて変形しながら伸張することで、水で満たされた開口部の干渉物の周りに硬化材を密実に充填することができる。また、内側ネット部材の伸張変形に連動して、これを被覆する外側ネット部材も変形し、硬化材が入り込む内側ネット部材の開口部外へのはらみ出しを抑制するので、開口部外への硬化材の流出を阻止することができるという効果を奏する。
【００２０】
また、本発明に係る他の閉塞部材によれば、前記開口部は、水で満たされた内部に干渉物が設けられ、所定の傾斜勾配を有する管路であるので、水で満たされた管路の干渉物の周りに硬化材を密実に充填することができ、管路の下流側への硬化材の流出を阻止することができるという効果を奏する。
【図面の簡単な説明】
【００２１】
【図１】図１は、本発明に係る閉塞部材の実施の形態を示す図である。
【図２】図２は、本発明に係る閉塞部材の実施の形態を示す図である。
【図３−１】図３−１は、本発明に係る開口部閉塞方法の実施の形態１を示す断面図であり、（１）はモルタル注入前の状態、（２）はモルタル注入後の状態の図である。
【図３−２】図３−２は、本発明に係る開口部閉塞方法の実施の形態２を示す断面図であり、（１）はモルタル注入前の状態、（２）はモルタル注入後の状態の図である。
【図４】図４は、本発明に係る閉塞部材の実施の形態を示す写真図である。
【図５】図５は、本発明に係る閉塞部材の実施の形態を示す写真図である。
【図６】図６は、本発明に係る開口部閉塞構造の実施の形態を示す写真図である。
【図７】図７は、解体工事を控えた原子力発電所建屋の状況を示す正面断面図である。
【図８】図８は、原子炉格納容器の下部の拡大斜視図である。
【図９】図９は、原子炉格納容器の下部の補修対象範囲の一例を示す図である。
【発明を実施するための形態】
【００２２】
以下に、本発明に係る開口部閉塞方法、開口部閉塞構造および閉塞部材の実施の形態を図面に基づいて詳細に説明する。なお、この実施の形態によりこの発明が限定されるものではない。
【００２３】
［閉塞部材］
まず、本発明に係る閉塞部材の実施の形態について説明する。
【００２４】
本発明に係る閉塞部材は、干渉物が設けられ、水で満たされた所定の傾斜勾配（例えば水平線となす角度が２０°）を有するベント管（開口部）に水中不分離性モルタル（硬化材）を充填することでベント管を閉塞するためのものである。
【００２５】
図１に示すように、本発明に係る閉塞部材１０は、モルタルをベント管に注入するための可撓性の注入管１２の先端部１４を内挿した状態で注入管１２に対して袋口１６が取り付けられる内側ネット部材１８と、この内側ネット部材１８の外側を被覆するように取り付けられ、内側ネット部材１８のはらみ出しを拘束するための外側ネット部材２０とを有している。
【００２６】
内側ネット部材１８は、伸縮性を有する袋状の透水性のものであり、注入管１２から注入されるモルタルを外部に漏らさない材質・構造にて構成される。内側ネット部材１８の袋口１６は、図示しない紐部材等で注入管１２の外周に縛り付けられ、注入管１２と袋口１６との間に隙間が生じないようにしてある。
【００２７】
外側ネット部材２０は、内側ネット部材１８に比べて幅広の袋口２２を有する袋状の透水性のものであり、袋口２２は内側ネット部材１８の中間部に位置している。この外側ネット部材２０は、内側ネット部材１８がモルタルの充填に伴いベント管の下流側のベントヘッダーの側へ膨らみ、伸張限界を超えて破裂するのを防ぐために用いられる。外側ネット部材２０の内側の底部の隅２か所には、紐部材２４が取り付けてあり、外側ネット部材２０と内側ネット部材１８の外側の底部の隅２か所とは、これら紐部材２４を介してそれぞれ接続されている。なお、外側ネット部材２０の内部の任意箇所または袋口２２と、内側ネット部材１８の外側の対向する箇所とを同様な紐部材を介して接続した構成としてもよい。
【００２８】
内側ネット部材１８および外側ネット部材２０を注入管１２の周りに巻き付けて収縮した状態としたものを図２に示す。ベント管を閉塞する際には、この図に示すように収縮した状態の閉塞部材１０をベント管内に挿入し、注入管１２の先端部１４から硬化材を注入することで内側ネット部材１８および外側ネット部材２０を伸張させるようにする。
【００２９】
上記の構成によれば、モルタルが入り込む伸縮性の内側ネット部材１８が干渉物の周りの形状に合わせて変形しながら伸張して膨張することで、水で満たされたベント管の干渉物の周りにモルタルを密実に充填することができる。また、内側ネット部材１８の伸張変形に連動して、これを被覆する外側ネット部材２０も変形し、ベント管の下流側のベントヘッダーへの内側ネット部材１８のはらみ出しを抑制するので、ベントヘッダーへのモルタルの流出を阻止することができる。
【００３０】
このように、本発明では、伸縮性を有する内側ネット部材１８だけを注入管１２に取り付けた状態で水中不分離性モルタルを充填した際に、ベント管の下流側のベントヘッダーにまで伸張した内側ネット部材１８がはらみ出すおそれがあることから、内側ネット部材１８のベントヘッダー側の外側に、はらみ出しを拘束するための外側ネット部材２０を設けている。はらみ出しを拘束するための外側ネット部材２０が伸縮性の内側ネット部材１８の過大な伸張を抑えることで、ベントヘッダーへのはらみ出しを防止し、ベント管における閉塞が可能である。
【００３１】
［開口部閉塞方法］
次に、本発明に係る開口部閉塞方法の実施の形態について説明する。なお、以下においては、ベント管に孔を開けてこの孔から閉塞部材１０を挿入する方法（実施の形態１）と、ベント管に取り付く真空破壊ラインにガイドパイプを取り付け、そこから閉塞部材１０を挿入する方法（実施の形態２）とについて説明する。
【００３２】
（実施の形態１）
まず、実施の形態１について説明する。
図３−１は、本発明に係る開口部閉塞方法の実施の形態１を示したものである。図３−１（１）に示すように、本実施の形態１に係る開口部閉塞方法は、干渉物８が設けられ、水で満たされた所定の傾斜勾配（例えば水平線となす角度が２０°）を有するベント管５（開口部）に水中不分離性モルタル（硬化材）を充填することでベント管５を閉塞する方法である。
【００３３】
本実施の形態１では、まず、モルタルをベント管５に注入するための注入管１２の先端部１４を内挿するように、上述した内側ネット部材１８の袋口１６を注入管１２に対して取り付けるとともに、この内側ネット部材１８の外側を被覆するように、上述した外側ネット部材２０を取り付ける。
【００３４】
次に、ベント管５に開けた図示しない貫通孔を通じて、注入管１２の先端部１４をベント管５の内部の充填予定箇所に配置する。
【００３５】
次に、図３−１（２）に示すように、注入管１２から内側ネット部材１８の内部に向けてモルタルを吐出し、内側ネット部材１８を伸張させる。この場合、モルタルが入り込む伸縮性の内側ネット部材１８は、干渉物８の周りの形状に合わせて変形しながら伸張してベント管５を閉塞する。
【００３６】
このようにすることで、水で満たされたベント管５内の干渉物８の周りにモルタルを密実に充填することができる。また、内側ネット部材１８の伸張変形に連動して、これを被覆する外側ネット部材２０も変形し、モルタルが入り込む内側ネット部材１８のベントヘッダー７へのはらみ出しを抑制するので、ベントヘッダー７へのモルタルの流出を阻止することができる。
【００３７】
（実施の形態２）
次に、実施の形態２について説明する。
図３−２は、本発明に係る開口部閉塞方法の実施の形態２を示したものである。図３−２（１）に示すように、本実施の形態２に係る開口部閉塞方法は、干渉物８が設けられ、水で満たされた所定の傾斜勾配（例えば水平線となす角度が２０°）を有するベント管５（開口部）に水中不分離性モルタル（硬化材）を充填することでベント管５を閉塞する方法である。
【００３８】
本実施の形態２では、まず、モルタルをベント管５に注入するための注入管１２の先端部１４を内挿するように、上述した内側ネット部材１８の袋口１６を注入管１２に対して取り付けるとともに、この内側ネット部材１８の外側を被覆するように、上述した外側ネット部材２０を取り付ける。
【００３９】
次に、ベント管５に取り付く真空破壊ラインを構成するパイプ２６にガイドパイプ２８を取り付け、このガイドパイプ２８に注入管１２を挿入し、注入管１２の先端部１４をベント管５の内部の充填予定箇所に配置する。ここで、注入管１２は可撓性のものであるから、鉛直に延びるガイドパイプ２８、水平に延びる真空破壊ラインのパイプ２６、ベント管５の内部に湾曲した状態で挿通され、その先端部をベント管５の内部の充填予定箇所に配置することが可能である。
【００４０】
次に、図３−２（２）に示すように、注入管１２から内側ネット部材１８の内部に向けてモルタルを吐出し、内側ネット部材１８を伸張させる。この場合、モルタルが入り込む伸縮性の内側ネット部材１８は、干渉物８の周りの形状に合わせて変形しながら伸張してベント管５を閉塞する。
【００４１】
このようにすることで、水で満たされたベント管５内の干渉物８の周りにモルタルを密実に充填することができる。また、内側ネット部材１８の伸張変形に連動して、これを被覆する外側ネット部材２０も変形し、モルタルが入り込む内側ネット部材１８のベントヘッダー７へのはらみ出しを抑制するので、ベントヘッダー７へのモルタルの流出を阻止することができる。
【００４２】
［開口部閉塞構造］
次に、本発明に係る開口部閉塞構造の実施の形態について説明する。
【００４３】
本発明に係る開口部閉塞構造は、干渉物が設けられ、水で満たされた所定の傾斜勾配（例えば水平線となす角度が２０°）を有するベント管（開口部）に水中不分離性モルタル（硬化材）を充填することでベント管を閉塞する構造である。
【００４４】
本発明に係る開口部閉塞構造は、図３−１（２）または図３−２（２）、図１および図２に示すように、モルタルをベント管５に注入するための注入管１２と、注入管１２の先端部１４に袋口１６が取り付けられ、伸縮性を有する袋状の透水性の内側ネット部材１８と、この内側ネット部材１８の外側を被覆するように取り付けられ、内側ネット部材１８のはらみ出しを拘束するための袋状の透水性の外側ネット部材２０とを有し、ベント管５に配置した注入管１２の先端部１４から内側ネット部材１８の内部に向けてモルタルを吐出することで内側ネット部材１８を伸張させてベント管５を閉塞したものである。
【００４５】
本発明に係る開口部閉塞構造によれば、モルタルが入り込む伸縮性の内側ネット部材１８が干渉物８の周りの形状に合わせて変形しながら伸張、膨張することで、水で満たされたベント管５の干渉物８の周りにモルタルを密実に充填することができる。また、内側ネット部材１８の伸張変形に連動して、これを被覆する外側ネット部材２０も変形し、モルタルが入り込む内側ネット部材１８のベントヘッダー７へのはらみ出しを抑制するので、ベントヘッダー７へのモルタルの流出を阻止することができる。
【００４６】
図６は、ベント管を模擬した管の内部に対して、上述した閉塞部材１０を配置し、注入管１２を通じて内側ネット部材１８の内部へ水中不分離性モルタルを充填した状況を示している。この図に例示されるものが、本発明の実施の形態に係る開口部閉塞構造に相当する。この図に示すように、内側ネット部材および外側ネット部材によって、アングルなどの干渉物の周りに水中不分離性モルタルを密実に充填することが可能となることがわかる。
【００４７】
以上説明したように、本発明に係る開口部閉塞方法によれば、干渉物が設けられ、水で満たされた開口部に水中不分離性の硬化材を充填することで前記開口部を閉塞する方法であって、前記硬化材を前記開口部に注入するための注入管の先端部に、伸縮性を有する袋状の透水性の内側ネット部材の袋口を取り付けるとともに、この内側ネット部材の外側を被覆するように、内側ネット部材のはらみ出しを拘束するための袋状の透水性の外側ネット部材を取り付けた後、前記注入管の先端部を前記開口部に配置し、前記注入管から内側ネット部材の内部に向けて前記硬化材を吐出し、内側ネット部材を伸張させて前記開口部を閉塞するので、硬化材が入り込む伸縮性の内側ネット部材が干渉物の周りの形状に合わせて変形しながら伸張することで、水で満たされた開口部の干渉物の周りに硬化材を密実に充填することができる。また、内側ネット部材の伸張変形に連動して、これを被覆する外側ネット部材も変形し、硬化材が入り込む内側ネット部材の開口部外へのはらみ出しを抑制するので、開口部外への硬化材の流出を阻止することができる。
【００４８】
また、本発明に係る他の開口部閉塞方法によれば、前記開口部は、水で満たされた内部に干渉物が設けられ、所定の傾斜勾配を有する管路であるので、水で満たされた管路の干渉物の周りに硬化材を密実に充填することができ、管路の下流側への硬化材の流出を阻止することができる。
【００４９】
また、本発明に係る開口部閉塞構造によれば、干渉物が設けられ、水で満たされた開口部に水中不分離性の硬化材を充填することで前記開口部を閉塞した構造であって、前記硬化材を前記開口部に注入するための注入管と、前記注入管の先端部に袋口が取り付けられ、伸縮性を有する袋状の透水性の内側ネット部材と、この内側ネット部材の外側を被覆するように取り付けられ、内側ネット部材のはらみ出しを拘束するための袋状の透水性の外側ネット部材とを有し、前記開口部に配置した前記注入管の先端部から内側ネット部材の内部に向けて前記硬化材を吐出することで内側ネット部材を伸張させて前記開口部を閉塞したので、硬化材が入り込む伸縮性の内側ネット部材が干渉物の周りの形状に合わせて変形しながら伸張することで、水で満たされた開口部の干渉物の周りに硬化材を密実に充填することができる。また、内側ネット部材の伸張変形に連動して、これを被覆する外側ネット部材も変形し、硬化材が入り込む内側ネット部材の開口部外へのはらみ出しを抑制するので、開口部外への硬化材の流出を阻止することができる。
【００５０】
また、本発明に係る他の開口部閉塞構造によれば、前記開口部は、水で満たされた内部に干渉物が設けられ、所定の傾斜勾配を有する管路であるので、水で満たされた管路の干渉物の周りに硬化材を密実に充填することができ、管路の下流側への硬化材の流出を阻止することができる。
【００５１】
また、本発明に係る閉塞部材によれば、干渉物が設けられ、水で満たされた開口部に水中不分離性の硬化材を充填することで前記開口部を閉塞するための閉塞部材であって、前記硬化材を前記開口部に注入するための注入管の先端部に袋口が取り付けられ、伸縮性を有する袋状の透水性の内側ネット部材と、この内側ネット部材の外側を被覆するように取り付けられ、内側ネット部材のはらみ出しを拘束するための袋状の透水性の外側ネット部材とを有するので、硬化材が入り込む伸縮性の内側ネット部材が干渉物の周りの形状に合わせて変形しながら伸張することで、水で満たされた開口部の干渉物の周りに硬化材を密実に充填することができる。また、内側ネット部材の伸張変形に連動して、これを被覆する外側ネット部材も変形し、硬化材が入り込む内側ネット部材の開口部外へのはらみ出しを抑制するので、開口部外への硬化材の流出を阻止することができる。
【００５２】
また、本発明に係る他の閉塞部材によれば、前記開口部は、水で満たされた内部に干渉物が設けられ、所定の傾斜勾配を有する管路であるので、水で満たされた管路の干渉物の周りに硬化材を密実に充填することができ、管路の下流側への硬化材の流出を阻止することができる。
【産業上の利用可能性】
【００５３】
以上のように、本発明に係る開口部閉塞方法、開口部閉塞構造および閉塞部材は、水で満たされた配管などの開口部に水中不分離性モルタルなどの硬化材を充填することでこの開口部を閉塞する方法および構造ならびにこれらに用いる部材に有用であり、特に、原子力発電所などの原子力施設の解体工事の準備工事として、水で満たされたベント管などの配管を閉塞するのに適している。
【符号の説明】
【００５４】
５  ベント管（開口部）
７  ベントヘッダー
８  干渉物
１０  閉塞部材
１２  注入管
１４  先端部
１６  袋口
１８  内側ネット部材
２０  外側ネット部材
２２  袋口
２４  紐部材
【図１】
2016011703.tif 000003
【図２】
2016011703.tif 000004
【図３−１】
2016011703.tif 000005
【図３−２】
2016011703.tif 000006
【図７】
2016011703.tif 000007
【図８】
2016011703.tif 000008
【図９】
2016011703.tif 000009
【図４】
2016011703.tif 000010
【図５】
2016011703.tif 000011
【図６】
2016011703.tif 000012